(57)【要約】      （修正有）【課題】樹脂板がキーホルダーとして使え、樹脂板をキーホルターとして使わない時は、パネルに取り付けて装飾品になる造形ボードを提供する。【解決手段】造形ボードＡは、内部に木枠を埋設し、草原１２を描いた和紙１３をパネル表面に貼着したパネル１と、赤ちゃんから採取した手形にライオンや象の頭部を加えて造形し、その端部にキーホルダーリングを通すための穴ｈ付きのバルジ状部２３、２４を一体に設けた樹脂板２２と、穴ｈに差し込んでパネル１の任意位置に樹脂板２２を着脱可能に固定するためのピン３とからなる。穴ｈにキーホルダーリングを嵌め込めばキーホルダーとして使うことができ、穴ｈにピン３を差し込んでパネル１の任意位置に樹脂板２２を着脱可能に固定することもできる。【選択図】図２
0003210738.tif 000002
【実用新案登録請求の範囲】
【請求項１】
内部に木枠を埋設し、所定の背景を描いた紙を表面に貼着したパネルと、
人から採取した足形や手形に、所定の有形物の特徴を表す部分を加えて造形し、その端部にキーホルダーリングを通すための穴付きバルジ部を一体に設けた複数枚の樹脂板と、  前記穴に差し込んで前記パネルの任意位置に前記樹脂板を着脱可能に固定するためのピンとを備えた造形ボード。
【請求項２】
所定の背景を描いたフック側の面ファスナーを表面に貼着したパネルと、
人から採取した足形や手形に、所定の有形物の特徴を表す部分を加えて造形し、その端部にキーホルダーリングを通すための穴付きバルジ部を一体に設け、裏面の一部にループ側の面ファスナーを貼着した複数枚の樹脂板とを備えた造形ボード。
【請求項３】
複数箇所に磁石を埋設し、表面に所定の背景を描いたパネルと、
人から採取した足形や手形に、所定の有形物の特徴を表す部分を加えて造形し、その端部にキーホルダーリングを通すための穴付きバルジ部を一体に設け、内部に鉄板を埋設した複数枚の樹脂板とを備えた造形ボード。
【請求項４】
前記所定の有形物とは、動物、昆虫、植物、食品、乗り物、道具、または家具であることを特徴とする請求項１乃至請求項３の何れかに記載の造形ボード。
【考案の詳細な説明】
【技術分野】
【０００１】
本考案は、樹脂板をキーホルターとして使わない時は、樹脂板をパネルに取り付けて装飾品になる造形ボードに関する。
【背景技術】
【０００２】
手や足の形をした置物は、文献１、２等で出願公開されている。
また、キーホルダーの保管用のケースも文献３で出願公開されている。
【先行技術文献】
【特許文献】
【０００３】
【特許文献１】特開２０１３−１１６５７６号公報
【特許文献２】特開平４−６２１９９号公報
【特許文献３】実開平４−４６８７９号公報
【考案の概要】
【考案が解決しようとする課題】
【０００４】
文献１、２の置物は、手や足の形をしているが、置物以外に使えない。
文献３に記載の技術は、大量のキーホルダーを保管用ケースに収容できるが、見栄えが悪い。
【０００５】
本考案の目的は、樹脂板がキーホルダーとして使え、樹脂板をキーホルターとして使わない時は、パネルに取り付けて装飾品になる造形ボードの提供にある。
【課題を解決するための手段】
【０００６】
（請求項１について）
内部に木枠を埋設したパネルは、所定の背景を描いた紙をパネル表面に貼着している。  複数枚の樹脂板は、人から採取した足形や手形に、所定の有形物の特徴を表す部分を加えて造形し、その端部にキーホルダーリングを通すための穴付きバルジ部を一体に設けている。
【０００７】
樹脂板の端部の穴付きバルジ部の穴にキーホルダーリングを嵌め込めば、樹脂板をキーホルダーとして使うことができる。この樹脂板は、人から採取した足形や手形に、所定の有形物の特徴を表す部分を加えて造形しているので、ユニークである。
なお、樹脂板の裏面は、空白であるので、足形や手形を採取した時の情報を記載することができる。
【０００８】
バルジ部の穴にピンを差し込めば、パネルの任意位置に、樹脂板（キーホルダーリングは穴から外す）を着脱可能に固定することができる。
なお、足形や手形に所定の有形物の特徴を表す部分を加えて造形した樹脂板を、背景を描いた紙を貼ったパネルにピンで固定すると、紙に描かれた背景に有形物が溶け込んで見えるので、装飾品として使える。
【０００９】
樹脂板の穴付きバルジ部の穴は、キーホルダーリングを通す以外にピン止め用としても使うことができる。
樹脂板を固定したパネルを装飾品として室内の適所に飾っておけば、樹脂板をキーホルダーとして使わない場合に、樹脂板の保管場所が目に止まるので、樹脂板の紛失が防止できる。
【００１０】
（請求項２について）
パネルは、所定の背景を描いたフック側の面ファスナーをパネル表面に貼着している。  複数枚の樹脂板は、人から採取した足形や手形に、所定の有形物の特徴を表す部分を加えて造形し、その端部にキーホルダーリングを通すための穴付きバルジ部を一体に設け、裏面の一部にループ側の面ファスナーを貼着している。
【００１１】
樹脂板の端部の穴付きバルジ部の穴にキーホルダーリングを嵌め込めば、樹脂板をキーホルダーとして使うことができる。この樹脂板は、人から採取した足形や手形に、所定の有形物の特徴を表す部分を加えて造形しているので、ユニークである。
【００１２】
なお、樹脂板の裏面の面ファスナーを貼着していない部分は、空白であるので、足形や手形を採取した時の情報を記載することができる。
【００１３】
面ファスナーを貼着した箇所のパネル表面に樹脂板（キーホルダーリングは穴から外す）を押し付ければ、面ファスナーどうしの絡み合いにより、樹脂板をパネルに固定することができる。
なお、樹脂板をパネルに固定すると、フック側の面ファスナーに描かれた背景に、樹脂板に描かれた有形物が溶け込んで見えるので、装飾品として使える。
【００１４】
樹脂板とパネルとを、面ファスナーで固定する構造であるので、樹脂板とパネルとの着脱を多数回、行っても劣化が少ない。
樹脂板を固定したパネルを装飾品として室内の適所に飾っておけば、樹脂板をキーホルダーとして使わない場合に、樹脂板の保管場所が目に止まるので、樹脂板の紛失が防止できる。
【００１５】
（請求項３について）
パネルは、複数箇所に磁石を埋設し、表面に所定の背景を描いている。
複数枚の樹脂板は、人から採取した足形や手形に、所定の有形物の特徴を表す部分を加えて造形し、その端部にキーホルダーリングを通すための穴付きバルジ部を一体に設け、内部に鉄板を埋設している。
【００１６】
樹脂板の端部の穴付きバルジ部の穴にキーホルダーリングを嵌め込めば、樹脂板をキーホルダーとして使うことができる。この樹脂板は、人から採取した足形や手形に、所定の有形物の特徴を表す部分を加えて造形しているので、ユニークである。
【００１７】
なお、樹脂板の裏面は、空白であるので、足形や手形を採取した時の情報を記載することができる。
また、磁石の埋設がパネル側で、鉄板の埋設が樹脂板側であるので、樹脂板をキーホルダーとして使う際に、樹脂板と磁気カード（定期券、キャッシュカード、クレジットカード等）とを近接（同じカバンに入れる等）させても磁気カードの磁気情報が消失しない。  
【００１８】
樹脂板（キーホルダーリングは穴から外す）をパネル表面に近接させれば、磁石を埋設した位置に樹脂板を磁着させることができる。
なお、樹脂板をパネル表面に磁着させると、パネル表面に描かれた背景に、所定の有形物が溶け込んで見えるので、装飾品として使える。
【００１９】
樹脂板をパネルに磁着させる構造であるので、樹脂板とパネルとの着脱を多数回、行っても劣化が少ない。
樹脂板を磁着させたパネルを装飾品として室内の適所に飾っておけば、樹脂板をキーホルダーとして使わない場合に、樹脂板の保管場所が目に止まるので、樹脂板の紛失が防止できる。
【００２０】
（請求項４について）
所定の有形物とは、動物、植物、食品、乗り物、道具、または家具である。
なお、所定の有形物の特徴を表す部分を、人から採取した足形や手形に加えて造形する際に、有形物の大きさを、足形や手形に見合った大きさに縮小する。
【図面の簡単な説明】
【００２１】
【図１】本考案の実施例１に係る造形ボードのパネルの説明図である。
【図２】本考案の実施例１に係る造形ボードのパネルに樹脂板をピン止めする様子を示す説明図である。
【図３】本考案の実施例１に係る造形ボードの樹脂板の説明図である。
【図４】本考案の実施例１に係る造形ボードの樹脂板の説明図である。
【図５】本考案の実施例２に係る造形ボードのパネルの説明図である。
【図６】本考案の実施例２に係る造形ボードのパネルに樹脂板を固定する様子を示す説明図である。
【図７】本考案の実施例２に係る造形ボードの樹脂板の説明図である。
【図８】本考案の実施例２に係る造形ボードの樹脂板の説明図である。
【図９】本考案の実施例３に係る造形ボードのパネルの説明図である。
【図１０】本考案の実施例３に係る造形ボードのパネルに樹脂板を磁着させる様子を示す説明図である。
【図１１】本考案の実施例３に係る造形ボードの樹脂板の説明図である。
【図１２】本考案の実施例３に係る造形ボードの樹脂板の説明図である。
【実施例１】
【００２２】
図１〜図４は、本考案の実施例１（請求項１、４に対応）を示す。
実施例１の造形ボードＡは、図２に示す如く、パネル１と、複数枚の樹脂板２１、２２と、ピン３とを備える。
【００２３】
図１に示すパネル１は、ウレタンボードの内部に、矩形枠状に組み付けた木枠１１を埋設し、草原の風景１２を描いた和紙１３をボード表面に貼着してなる。
【００２４】
図２〜図４に示す樹脂板２１、２２は、下記の造形体と同じ形状を白色の型取用樹脂板からくり抜いた刳抜体の表面を着色して、ライオンや象に見える様にしたものであり、赤ちゃんの名前、型取日時、身長、体重等のデーターが裏面に印刷されている。
造形体は、誕生から所定日数が経過した赤ちゃんから採取した手形の上部に、ライオンや象の頭部（特徴を表す部分）のイラストを重ね合わせて造形したものであり。
なお、樹脂板２１、２２の上端部には、キーホルダーリング４を通すための穴ｈ付きのバルジ状部２３、２４が設けられている。
【００２５】
ピン３は、頭部３１（プラスチック製）と、頭部３１の中心に配設された針部３２（金属製）とからなる。
【００２６】
本実施例の造形ボードＡは、下記の利点を有する。
図３、図４に示す様に、キーホルダーリング４をバルジ状部２３、２４の穴ｈに嵌め込めば、樹脂板２１、２２をキーホルダーとして使うことができる。なお、樹脂板２１、２２は、ベースの手形に動物の頭部のイラストを重ね合わせて造形したもので、板表面がライオンや象に見えるのでユニークである。
【００２７】
樹脂板２１、２２のバルジ状部２３、２４の穴ｈ（キーホルダーリング４は外しておく）にピン３の針部３２を差し込んでパネル１の和紙１３に突き刺せば、パネル１の任意位置に、樹脂板２１、２２を固定することができる。
【００２８】
表面がライオンや象に見える樹脂板２１、２２を、草原の風景１２を描いた和紙１３を貼った図１のパネル１にピン３で固定すると、図２の様に草原にライオンや象が居る様に見えるので、造形ボードＡは、装飾品として使える。
【００２９】
樹脂板２１、２２のバルジ状部２３、２４に設けた穴ｈは、キーホルダーリング４を通す以外にピン止め用としても使われる。
パネル１に樹脂板２１、２２をピン３で固定した造形ボードＡを、室内の適所に装飾品として飾っておけば、樹脂板２１、２２をキーホルダーとして使わない場合に、樹脂板２１、２２の保管場所が目に止まるので、樹脂板２１、２２の紛失が防止できる。
【００３０】
パネル１は、矩形枠状に組み付けた木枠１１をウレタンボード１３の内部に埋設しているので、ウレタンボード１３が、変形や型崩れを起こさない。
【実施例２】
【００３１】
図５〜図８は、本考案の実施例２（請求項３、４に対応）を示す。
実施例２の造形ボードＢは、図６に示す如く、樹脂製のパネル５と、内部に鉄板ｆを埋設した複数枚の樹脂板６１、６２、６３とを備える。
【００３２】
パネル５は、複数箇所に磁石７を埋設し、海の風景５１をパネル表面に印刷している。  図６〜図８に示す樹脂板６１、６２、６３は、下記の造形体と同じ形状を白色の型取用樹脂板からくり抜いた刳抜体の表面を着色して、モグラ、オットセイ、ペンギンに見える様にしたものであり、赤ちゃんの名前、型取日時、身長、体重等のデーターが裏面に印刷されている。
造形体は、誕生から所定日数が経過した赤ちゃんから採取した手形の上部に、モグラ、オットセイ、ペンギンの上半身（特徴を表す部分）のイラストを重ね合わせて造形したものであり。
なお、樹脂板６１、６２、６３の上端部には、キーホルダーリング４を通すための穴ｈ付きのバルジ状部６４、６５、６６が設けられている。
【００３３】
本実施例の造形ボードＢは、下記の利点を有する。
図７、図８に示す様に、キーホルダーリング４をバルジ状部６４、６５、６６の穴ｈに嵌め込めば、樹脂板６１、６２、６３をキーホルダーとして使うことができる。なお、樹脂板６１、６２、６３は、ベースの足形に、動物の上半身のイラストを重ね合わせて造形したものであり、板表面がモグラ、オットセイ、ペンギンに見えるのでユニークである。  
【００３４】
樹脂板６１、６２、６３（キーホルダーリング４は穴ｈから外す）を、磁石７を埋設したパネル表面に近接させれば、パネル５の所望の位置に磁着させることができる。
表面がモグラ、オットセイ、ペンギンに見える樹脂板６１、６２、６３を、海の風景５１を描いたパネル５に磁着させると、臨海にモグラ、オットセイ、ペンギンが居る様に見えるので、造形ボードＢは、装飾品として使える。
【００３５】
樹脂板６１、６２、６３とパネル５との着脱を多数回、行っても劣化が少ない。
パネル５に樹脂板６１、６２、６３を磁着した造形ボードＢを、室内の適所に装飾品として飾っておけば、樹脂板６１、６２、６３をキーホルダーとして使わない場合に、樹脂板６１、６２、６３の保管場所が目に止まるので、樹脂板６１、６２、６３の紛失が防止できる。
【実施例３】
【００３６】
図９〜図１２は、本考案の実施例３（請求項２、４に対応）を示す。
実施例３の造形ボードＣは、図１０に示す如く、樹脂製のパネル８と、複数枚の樹脂板９１、９２とを備える。
【００３７】
パネル８は、樹脂板であり、ひな祭りの雛飾り８１をフック上面に描いたフック側の面ファスナー８２（白色）をパネル上面に貼着している。
【００３８】
図１０〜図１２に示す樹脂板９１、９２は、下記の造形体と同じ形状を白色の型取用樹脂板からくり抜いた刳抜体の表面を着色して、バイクやトラクターに見える様にしたものであり、赤ちゃんの名前、型取日時、身長、体重等のデーターが裏面に印刷されている。  造形体は、誕生から所定日数が経過した赤ちゃんから採取した足形に、バイクおよびトラクターのタイヤやハンドル等（特徴を表す部分）のイラストを重ね合わせて造形したものである。
【００３９】
この樹脂板９１、９２の裏面の一部には、ループ側の面ファスナー８３、８３が貼着されている。なお、裏面の露出している部分には、赤ちゃんの名前、型取日時、身長、体重等のデーターが印刷されている。
そして、樹脂板９１、９２の上端部には、キーホルダーリング４を通すための穴ｈ付きのバルジ状部９３、９４が設けられている。
【００４０】
本実施例の造形ボードＣは、下記の利点を有する。
キーホルダーリング４をバルジ状部９３、９４の穴ｈに嵌め込めば、樹脂板９１、９２をキーホルダーとして使うことができる。
なお、樹脂板９１、９２は、ベースの足形に、バイクおよびトラクターのタイヤやハンドル等のイラストを重ね合わせて造形したものであり、板表面がバイクおよびトラクターに見えるのでユニークである。
【００４１】
樹脂板９１、９２（キーホルダーリング４は穴ｈから外す）を、面ファスナー８２を貼着した箇所に押し付ければ、面ファスナー８２、８３どうしの絡み合いにより、樹脂板９１、９２をパネル８に固定することができる。
【００４２】
なお、樹脂板９１、９２をパネル８に固定すると、パネル８のフック側の面ファスナー８２に描いたひな祭りの雛飾り８１の近くに、バイクおよびトラクターが置いてある様に見えるので、装飾品として使える。
【００４３】
樹脂板９１、９２とパネル８との着脱を多数回、行っても劣化が少ない。
室内の適所に装飾品としてパネル８を飾っておけば、キーホルダーとして使う樹脂板９１、９２の保管場所が目に止まるので、樹脂板９１、９２の紛失が防止できる。
【００４４】
本考案は、上記実施例以外に、つぎの実施態様を含む。
ａ．所定の有形物が動物で有る場合、有形物は、キリン、フラミンゴ、蝶、パンダ、孔雀、羊、猫、鳥、猿、アルパカ、イノシシ、カエル、カンガルー、ひよこ、犬、恐竜、馬、クジラ、熱帯魚、マンボウ、鮫、蛸、イカ、アザラシ、ウサギ、豚などでも良い。
【００４５】
ｂ．所定の有形物が昆虫で有る場合、有形物は、てんとう虫、カマキリ、クワガタなどでも良い。
ｃ．所定の有形物が植物で有る場合、有形物は、椰子の木、トウモロコシ、バナナ、洋ナシなどでも良い。
ｄ．所定の有形物が乗り物で有る場合、有形物は、馬車、ダンプカー、探索車、電車、バス、ヨット、自動車などでも良い。
【符号の説明】
【００４６】
Ａ、Ｂ、Ｃ  造形ボード
ｆ  鉄板
ｈ  穴
１、５、８  パネル
３  ピン
４  キーホルダーリング
７  磁石
１１  木枠
１２  草原の風景（背景）
１３  和紙（紙）
５１  海の風景（背景）
２１、２２、６１、６１、６３、９１、９２  樹脂板
８１  ひな祭りの雛飾り
８２  フック側の面ファスナー
８３  ループ側の面ファスナー
２３、２４、６４、６５、６６、９３、９４  バルジ状部（バルジ部）
【図１】
0003210738.tif 000003
【図２】
0003210738.tif 000004
【図３】
0003210738.tif 000005
【図４】
0003210738.tif 000006
【図５】
0003210738.tif 000007
【図６】
0003210738.tif 000008
【図７】
0003210738.tif 000009
【図８】
0003210738.tif 000010
【図９】
0003210738.tif 000011
【図１０】
0003210738.tif 000012
【図１１】
0003210738.tif 000013
【図１２】
0003210738.tif 000014